(57)【要約】  本発明は、アプリケータ部材を備える毛髪処理デバイス(1)用の化粧製品レフィル(20)に関し、アプリケータ部材は、90%以下、好ましくは80%以下、さらに好ましくは70%以下の充填度で、液体化粧製品で浸され、充填度は、アプリケータ部材における化粧製品の質量を、アプリケータ部材が浸され得る化粧製品の最大質量で除算した比率として定義される。
2020501708.tif 000002
【特許請求の範囲】
【請求項１】
アプリケータ部材(26、26a〜26e)を備える、毛髪処理デバイス(1)用の化粧製品レフィル(20)であって、前記アプリケータ部材が、液体化粧製品で浸され、前記アプリケータ部材に存在する化粧製品の初期量が、90%以下の前記アプリケータ部材の充填度に対応する、化粧製品レフィル。
【請求項２】
前記アプリケータ部材(26、26a〜26e)の前記充填度が、80%以下、さらに好ましくは70%以下である、請求項1に記載の化粧製品レフィル。
【請求項３】
前記アプリケータ部材(26、26a〜26e)が全体的に多孔質である、請求項1または2に記載の化粧製品レフィル。
【請求項４】
前記アプリケータ部材(26、26a〜26e)がフェルトで作られる、請求項1から3のいずれか一項に記載の化粧製品レフィル。
【請求項５】
前記フェルトの繊維がすべて実質的に同じ方向に向けられ、前記フェルトを形成するように成形され、好ましくは前記繊維が、処理される毛髪の房の表面に垂直に、または前記アプリケータ部材(26、26a〜26e)の長手方向に平行に向けられる、請求項4に記載の化粧製品レフィル。
【請求項６】
前記アプリケータ部材(26、26a〜26e)の密度が、0.08g/cm3を超える、および/または0.350g/cm3未満である、請求項1から5のいずれか一項に記載の化粧製品レフィル。
【請求項７】
前記化粧製品の粘度が、4センチポアズを超える、および/または500センチポアズ未満である、請求項1から6のいずれか一項に記載の化粧製品レフィル。
【請求項８】
前記アプリケータ部材(26、26a〜26e)が、40%以上の、好ましくは50%以上の、さらに好ましくは60%以上の充填度を有する、請求項1から7のいずれか一項に記載の化粧製品レフィル。
【請求項９】
前記アプリケータ部材(26、26a〜26e)が、矩形または十字形の断面をもち、処理される前記毛髪と接触しているように意図された、平らな、尖った、もしくは丸い端部を有し、および/または1つもしくは2つのベベル(56a、56b)を有する、細長い形状をしている、請求項1から8のいずれか一項に記載の化粧製品レフィル。
【請求項１０】
前記アプリケータ部材(26、26a〜26e)が、少なくとも部分的に、さらに良くは全体的に、ポリエチレン、ポリプロピレン、またはポリエチレンとポリプロピレンの混合物から作られ、好ましくは前記混合物が、45〜55%のポリエチレンおよび55〜45%のポリプロピレンを含む、請求項1から9のいずれか一項に記載の化粧製品レフィル。
【請求項１１】
前記液体化粧製品が、水性組成物であり、好ましくはその粘度が、4センチポアズを超える、および/または500センチポアズ未満であり、好ましくは前記アプリケータ部材が、0.11g/cm3を超える、および/または0.25g/cm3未満の密度を有する、請求項1から10のいずれか一項に記載の化粧製品レフィル。
【請求項１２】
前記液体化粧製品が、特に油を含む、無水組成物であり、好ましくはその粘度が、100センチポアズを超える、および/または600センチポアズ未満であり、好ましくは前記アプリケータ部材が、0.11g/cm3を超える、および/または0.25g/cm3未満の密度を有する、請求項1から10のいずれか一項に記載の化粧製品レフィル。
【請求項１３】
2つの対向する壁(34、36)および底部(37)によって少なくとも部分的に形成され、開口(31)によって外に向かって開いた空洞を画定する本体(23)を備え、前記アプリケータ部材(26、26a〜26e)が前記空洞に部分的に収容され、前記開口(31)を通って前記空洞の外に部分的に延びる、請求項1から10のいずれか一項に記載の化粧製品レフィル。
【請求項１４】
閉じられたパッケージ(204)と、前記パッケージ(204)に含まれている、請求項1から13のいずれか一項に記載の少なくとも1つの化粧製品レフィル(20)とを含む、化粧製品レフィル物品(202)。
【請求項１５】
毛髪処理デバイス(1)であって、
-  少なくとも1つのアーム(5、6)と、
-  前記アームに取り付けられた、請求項1から13のいずれか一項に記載の化粧製品レフィル(20)と
を備える、毛髪処理デバイス。
【請求項１６】
少なくとも1つの加熱要素を備え、好ましくはヘアストレートナー、特にストレートアイロンを構成する、請求項15に記載のデバイス。
【請求項１７】
請求項15または16に記載のデバイスを使用して、毛髪の房に化粧製品を塗布するステップを含む、毛髪を処理するための方法。
【発明の詳細な説明】
【技術分野】
【０００１】
本発明は、毛髪処理デバイス用の化粧製品レフィルに関し、より詳細には、限定はしないが、毛髪を整形するためのデバイス用の、特に毛髪をストレートにする、カールさせる、または縮らせることを目的とする、化粧製品レフィルに関する。
【０００２】
本発明はまた、そのようなレフィルを設けられたデバイス、および毛髪を処理するための方法に関する。
【背景技術】
【０００３】
通常、ヘアストレートナー(hair straightener)は、ヒンジを用いて互いに接続された2つのアームであって、ヒンジが前記アームの開閉を可能にする、2つのアームと、アームに配置された少なくとも1つの加熱要素とから構成される。毛髪の房をスタイリングする動作中、前記房は、開位置の2つのアームの間に差し込まれ、次いで毛髪の房の上から手動で閉じられる。次いで毛髪の房は、2つのアームが開かれ、毛髪の房が取り除かれるまで、加熱要素によって出された熱にかけられる。
【０００４】
出願WO 2009/078046は、ヘアスタイリング器具について記載し、このヘアスタイリング器具は、器具を開閉できるように互いに接続された2つのアームと、少なくとも1つの加熱部材と、毛髪処理デバイスを収納するための少なくとも1つのシートとを備え、毛髪処理デバイスは動作中にヘアケア製品を分配できるようにする。毛髪処理デバイスは、ヘアケア製品を含浸した、使い捨てに適した支持材料を備える。
【０００５】
WO 2009/015027およびUS 2009/0025247は、毛髪との接触によってヘアケア製品を塗布できるようにするヘアストレートデバイス(hair straightening device)を開示する。塗布されるヘアケア製品は、それの塗布用の取り外し可能なレフィルに含まれている。前記取り外し可能なレフィルは、ゼリー状のヘアケア製品を含んでいるリザーバと、製品を分配し、塗布するためのオリフィスとを備え、上記オリフィスは、リザーバの壁を貫通して直接作られる。レフィルは、ヘアストレートナーの2つのアームのうちの一方に配置されたハウジングに、滑らせることによって差し込まれる。
【０００６】
同じく出願WO 2013/045331は、毛髪にケア物質を塗布するためのアプリケータであって、アプリケータのハウジングに収容されたケア物質のカートリッジを備えるアプリケータを開示する。カートリッジは、ケア物質で浸された(saturated with)多孔質支持体を含む。
【０００７】
出願WO 2013/090896は、毛髪処理器具に関し、詳細には、毛髪または皮膚に塗布されるように、処理剤ホルダー、特に浸された多孔質材料を備える、ヘアスタイリング器具に関する。ホルダーは、アクセサリに固定され、アクセサリ自体は、毛髪処理器具に取り外し可能に取り付けられる。ホルダーはT字形であり、アクセサリにある相補的な溝に取り付けることができる。
【先行技術文献】
【特許文献】
【０００８】
【特許文献１】WO 2009/078046
【特許文献２】WO 2009/015027
【特許文献３】US 2009/0025247
【特許文献４】WO 2013/045331
【特許文献５】WO 2013/090896
【発明の概要】
【発明が解決しようとする課題】
【０００９】
化粧製品の適切な塗布を確実にするために、ヘアケア製品を塗布するためのデバイスをさらに改善する必要がある。
【課題を解決するための手段】
【００１０】
この目的で、本発明は、90%以下の充填度で、液体化粧製品で浸されたアプリケータ部材を備える、毛髪処理デバイス用の化粧製品レフィルを提案する。
【００１１】
アプリケータ部材は、多くとも90%の液体化粧製品で浸されるとき、毛髪を通過するごとに製品の実質的に一定の量を回復する傾向があり、それにより、全頭髪の比較的均質な処理を可能にする。比較すると、アプリケータ部材が完全に浸されるとき、アプリケータ部材は、最初の通過中により大量の製品を送出し、その後の通過中により少量の製品を送出する傾向がある。この場合、得られる毛髪の処理は、均質性に欠け、最初または最後の通過中に処理された毛髪の部分は、異なる量の化粧製品を受け取り、満足な化粧品感触を得られない場合がある。
【００１２】
好ましくは、本発明による化粧製品レフィルは、以下の特徴のうちの1つまたは複数を、単独でまたは組み合わせて有する。
-  アプリケータ部材の充填度は、80%以下、さらに好ましくは70%以下である。
-  アプリケータ部材は全体的に多孔質である。
-  アプリケータ部材はフェルトで作られ、フェルトの繊維はすべて実質的に同じ方向に向けられ、好ましくは繊維は、処理される毛髪の房の表面に垂直、またはアプリケータ部材の長手方向に平行のいずれかに向けられたフェルトを形成するように成形されることが可能である。
-  アプリケータ部材の密度は、たとえば0.08g/cm3を超える、および/または0.350g/cm3未満である。
-  化粧製品の粘度は、4センチポアズを超える、および/または500センチポアズ未満である。
-  アプリケータ部材は、40%以上の、好ましくは50%以上の、さらに好ましくは60%以上の充填度を有する。
-  アプリケータ部材は、矩形または十字形の断面をもち、処理される毛髪と接触しているように意図された、平らな、尖った、もしくは丸い端部を有し、および/または1つもしくは2つのベベルを有する、細長い形状をしている。
-  アプリケータ部材は、少なくとも部分的に、さらに良くは全体的に、ポリエチレン、ポリプロピレン、またはポリエチレンとポリプロピレンの混合物から作られ、好ましくは混合物は、45〜55%のポリエチレンおよび55〜45%のポリプロピレンを含む。
-  液体化粧製品は、水性組成物であり、好ましくはその粘度は、22℃および1013.25hPaにおいて、4センチポアズを超える、および/または100センチポアズ未満であり、好ましくはアプリケータ部材は、0.11g/cm3を超える、および/または0.25g/cm3未満の密度を有する。
-  液体化粧製品は、特に油を含む、無水組成物であり、好ましくはその粘度は、22℃および1013.25hPaにおいて、100センチポアズを超え、および/または500センチポアズ未満であり、好ましくはアプリケータ部材は、0.11g/cm3を超える、および/または0.25g/cm3未満の密度を有する。
-  化粧製品レフィルは、少なくとも部分的に2つの対向する壁および底部によって形成され、開口によって外に向かって開いた空洞を画定する本体を備え、上記アプリケータ部材は上記空洞に部分的に収容され、開口から空洞の外に部分的に広がる。
【００１３】
別の態様によれば、本発明は、閉じられたパッケージと、パッケージに含まれている、それらのすべての組合せにおいて上記で定義した少なくとも1つの化粧製品レフィルとを含む、化粧製品レフィル物品に関する。
【００１４】
本発明はまた、毛髪処理デバイスに関し、この毛髪処理デバイスは、
-  少なくとも1つのアームと、
-  アームに取り付けられた、それらのすべての組合せにおいて上記で説明した化粧製品レフィルと
を備える。
【００１５】
好ましくは、レフィルは、アームのハウジングに取り外し可能に配置される。
【００１６】
好ましくは、毛髪処理デバイスは、2つのアームを備え、2つのアームは、毛髪を処理するための一緒に動かされる構成と、前記アームの間で処理される毛髪を挿入するための離間した構成との間で、互いに対して動くことができる。
【００１７】
1つの変形態によれば、アームの少なくとも1つが、好ましくは各アームが、処理される毛髪のための加熱要素を備える。
【００１８】
好ましくは、デバイスは、ヘアストレートナー、特にストレートアイロンである。
【００１９】
また別の態様によれば、本発明は、組立式の毛髪処理アセンブリに関し、この組立式の毛髪処理アセンブリは、
-  毛髪用の加熱要素を設けられた少なくとも1つのアームを備える毛髪処理器具であって、これらのアームの少なくとも1つに、化粧製品レフィルを収納するのに適した収納ハウジングを備える、毛髪処理器具と、
-  それらのすべての組合せにおいて上記で定義した化粧製品レフィル物品と
を備える。
【００２０】
また別の態様によれば、本発明は、本発明によるデバイスを用いて毛髪の房に化粧製品を塗布するステップを含む、毛髪を処理するための方法に関する。
【００２１】
好ましくは、処理は、毛髪の房に沿ってデバイスを動かすことによって行われ、前記デバイスのアームは、前記動きの間、一緒に動かされる構成で保たれる。
【００２２】
本発明は、非限定的例示的実施形態の次の詳細な説明を読むことにより、また添付の図面を調べることにより、よりよく理解できよう。
【図面の簡単な説明】
【００２３】
【図１】毛髪処理デバイスの例の斜視図である。
【図２】図1のII-II横断面図である。
【図３】図1の毛髪処理デバイスにおいて採用され得るアプリケータ部材の例を断面で示す図である。
【図４】異なる多孔質材料で作られた様々なアプリケータ部材に対する、アプリケータ部材の充填度に応じて毛髪の房ごとに堆積される製品の量の曲線を示す図である。
【図５】異なる多孔質材料で作られた様々なアプリケータ部材に対する、アプリケータ部材の充填度に応じて毛髪の房ごとに堆積される製品の量の曲線を示す図である。
【図６】異なる多孔質材料で作られた様々なアプリケータ部材に対する、アプリケータ部材の充填度に応じて毛髪の房ごとに堆積される製品の量の曲線を示す図である。
【図７】図4〜図6の曲線を引くためにサンプルの各々を用いて行われたテストの数値を示す表である。
【図８】図4〜図6の曲線を引くためにサンプルの各々を用いて行われたテストの数値を示す表である。
【図９】図4〜図6の曲線を引くためにサンプルの各々を用いて行われたテストの数値を示す表である。
【図１０】図4〜図6の曲線を引くためにサンプルの各々を用いて行われたテストの数値を示す表である。
【図１１】図4〜図6の曲線を引くためにサンプルの各々を用いて行われたテストの数値を示す表である。
【図１２】図4〜図6の曲線を引くためにサンプルの各々を用いて行われたテストの数値を示す表である。
【図１３】図4〜図6の曲線を引くためにサンプルの各々を用いて行われたテストの数値を示す表である。
【図１４】組立式の毛髪処理アセンブリを概略的に示す図である。
【発明を実施するための形態】
【００２４】
説明の残りにおいて、同一の要素、または同一の機能を有する要素は、同じ参照符号が記載されている。本明細書を簡明にするために、図の各々に対してそれらを説明せず、実施形態の間の違いのみを説明する。
【００２５】
図1および図2は、毛髪処理デバイス1の例のハンドピース2を示す。
【００２６】
このハンドピース2は、2つのあご3および4を有し、2つのあご3および4は、前記あごの間に毛髪の房を差し込むための離間した構成(図示せず)と、毛髪の房を処理するための一緒に動かされる構成との間で、互いに対して動くことができる。
【００２７】
あご3および4は、それぞれ上側アーム5および下側アーム6によって運ばれ、アームは、当該の例では関節(articulation)8によって一端が互いに結合され、したがって、ハンドピース2はトングを形成する。
【００２８】
上側アーム5および下側アーム6は、各々好ましくは22cm〜37cmの全長を有し、関節8とあご3および4との間に、それぞれのハーフハンドル10および11を定め、使用者はあご3および4を互いに動かすためにハーフハンドル10および11を圧迫することができる。
【００２９】
あご3および4を離間した構成に戻すために、好ましくは弾性戻り部材(見えない)が設けられ、この弾性戻り部材は、たとえば、関節ピン8の周りに配置されたばねである。
【００３０】
本発明は、上側アーム5および下側アーム6を互いに結合する特定の方法に限定されず、あご3および4は、本発明の範囲から逸脱することなく何らかの他の方法で移動できるようにされてもよい。しかしながら、関節の存在は、それにより実現される人間工学のために大いに好ましい。
【００３１】
あご3および4は、それらの間に毛髪を処理するための領域を定め、前記領域は、処理される毛髪の房を受け入れるように意図され、ハンドピース2は、処理中に上記房に沿って、たとえば毛髪の根元から先端への方向に動かされる。
【００３２】
当該の例では、ハンドピース2は、化粧製品を塗布し、毛髪を蒸気によって処理し、次いで、上側アーム5および下側アーム6によってそれぞれ保持される加熱要素15および16の2つの高温表面との接触により毛髪の熱処理を行うように構成される。
【００３３】
図4に示す、毛髪を覆うハンドピース2の移動の方向Dは、好ましくは上側アーム5および下側アーム6に対して実質的に垂直である。
【００３４】
ハンドピース2は、当該の例では、処理中に固定されて、電源に接続されるベースステーション(図示せず)に、線18によって接続される。
【００３５】
このベースステーションは、ハンドピース2に電力を提供し、蒸気を発生させるための水の供給も行い、ハンドピース2から受信される電気信号を処理するという追加の機能を行う場合もある。ハンドピース2をベースステーションに接続する線18は、したがって、様々な電気導線、および給水パイプを備えてもよい。
【００３６】
ハンドピース2には、たとえばそれのいくつかの構成要素を起動するというオプションを使用者に与えるために、ユーザインターフェース(図には示されていない)が存在してもよい。
【００３７】
化粧製品は、2つのアームのうちの一方、5または6、この場合は圧迫要素21と接触する上側アーム5によって保持されるレフィル20によって塗布される。圧迫要素21は、取り外し可能であってもよい。
【００３８】
レフィル20は、本体23と、処理領域に広がる毛髪と接触するように配置されたアプリケータ部材26とを備える。
【００３９】
レフィル20は、いずれかの手段によって、特に、図2に示すように、本体23のリブを相補的な形状をもつ溝に滑り込ませることによって、アーム5または6に固定されてもよい。
【００４０】
図2に示すように、本体23は、開口部31によって外側に向かって開いている空洞30を有し、これにアプリケータ部材26が挿入軸Xに沿って挿入され、レフィルは製造される。より詳細には、空洞30は、少なくとも部分的に、本体23の2つの対向する壁34、36および底部37によって形成される。空洞30は、開口31によって外に向かって開いている。アプリケータ部材26は、空洞30に部分的に収容され、開口31から空洞の外に部分的に広がる。本体は、空洞30の中に延びる結合レリーフを備えてもよい。
【００４１】
本体23は実質的に、縦軸に沿って細長い形状を有する。断面では本体23は、図2に示すようにU字形である。
【００４２】
図2に示すように、アプリケータ部材26は、直方体の形態であってもよい。したがってアプリケータ部材26は、処理される毛髪と接触しているように意図されている、実質的に平らな面を有する。アプリケータ部材26の寸法は、たとえば8mm×20mm×90mmであり、毛髪と接触しているように意図された面は、8mm×90mmの寸法を有する。
【００４３】
しかしながら、図3は、アプリケータ部材26の可能な変形態を示す。アプリケータ部材26aは、十字形の断面をもち、図2のアプリケータ部材26と比較して、2つの平行六面体の縦リブ50aおよび50bを有してもよい。
【００４４】
一方、アプリケータ部材26bは、図2のアプリケータ部材26と比較して、処理される毛髪54と接触しているように意図された点52を有してもよい。この点52は、反対の向きを有する2つのベベル56a、56bによって形成される。
【００４５】
アプリケータ部材26cは、断面がオジーヴ形状を有し、オジーヴの丸い端部58が毛髪54の方へ配向されるように意図されている。
【００４６】
アプリケータ部材26dは、アプリケータ部材26bと比較して、単一のベベル56aを有する。したがってアプリケータ部材26dは、反対側の表面62に平行であって、限られた寸法を有する、毛髪54と接触しているように意図された表面60を有する。
【００４７】
最後に、アプリケータ部材26eは、アプリケータ部材26eの反対側の表面62に実質的に平行に延びる、毛髪54と接触しているように意図された中央部分60によって接続された2つの反対のベベル56a、56bを有する。
【００４８】
他のアプリケータ部材の形状もまた、特に図3の変形態を組み合わせることによって想定され得る。
【００４９】
アプリケータ部材は、ポリエチレン、ポリプロピレン、またはポリエチレンとポリプロピレンの混合物から作られてもよい。混合物は、特に50%のポリエチレンおよび50%のポリプロピレンを含んでもよい。
【００５０】
アプリケータ部材は、フェルトであってもよい。フェルトの繊維は、処理される毛髪54の房の表面に平行に向けられてもよく、好ましくは繊維は、毛髪の上を進む方向Dに垂直に、実質的にアプリケータ部材の長手方向に向けられる。一変形態では、アプリケータ部材のフェルトの繊維は、処理される毛髪54の房の表面に垂直に、すなわち、方向Dに垂直に、およびアプリケータ部材26の長手方向に配向される。
【００５１】
アプリケータ部材は、異なる繊維密度および/または繊維配向を有する少なくとも2つの部分を備えてもよい。特に、より低い繊維密度を有する部分が、リザーバの役割を果たし、より高い繊維密度を有する他の部分は、処理される毛髪の房への化粧製品のより均質な塗布を可能にする。このようにして、1つの同じ房上に送出される製品の量における、房上の位置に応じたばらつきは縮小される。
【００５２】
アプリケータ部材は、たとえば最初に6mlを超える、好ましくは10mlを超える、および/または14ml未満の、好ましくは11ml未満の液体化粧製品の量で浸されている。アプリケータ部材は、たとえば、0.08g/cm3を超える、好ましくは0.1g/cm3を超える、および/または0.35g/cm3未満の、好ましくは0.25g/cm3未満の、さらに好ましくは0.23g/cm3未満の密度を有する。化粧製品の粘度は、たとえば、4センチポアズを超え、好ましくは5センチポアズを超え、および/または500センチポアズ未満、好ましくは100センチポアズ未満である。化粧製品の粘度は、1.01325 105Paの圧力、22℃の温度、および1s-1の剪断速度で測定される。この粘度は、コーン/プレート粘度計(Haake R600レオメーターなど)を使用して測定されてもよい。
【００５３】
特に化粧製品は、特にエマルジョンの形態の水性組成物であってもよい。水性組成物は、水を含む組成物であると理解される。エマルジョンは、好ましくはダイレクトであり、その固形分は、10%未満である。水性組成物は、たとえば4センチポアズを超える、好ましくは5センチポアズを超える、および/または100センチポアズ未満の粘度を有する。
【００５４】
変形態では、化粧製品は、無水組成物である。
【００５５】
本発明の意味内では、「無水組成物」は、組成物の総重量に対して、重量で5%未満の水、好ましくは重量で1%未満の水を含んでいる組成物であると理解される。さらに好ましくは、無水組成物は、組成物の調製中に加えられる水を含まず、混合成分によって供給される残留水に対応する水だけが存在する。なお一層好ましくは、無水組成物には水がない。
【００５６】
無水組成物は、少なくとも1つの油を含んでもよい。無水組成物は、特にシリコーンの混合物を含んでもよい。
【００５７】
無水組成物は、たとえば100センチポアズを超える、および/または500センチポアズ未満の粘度を有する。
【００５８】
アプリケータ部材に存在する化粧製品の初期量は、90%未満、好ましくは80%未満、さらに好ましくは70%未満のアプリケータ部材の充填度に対応する。
【００５９】
「充填度」は、アプリケータ部材における化粧製品の質量を、アプリケータ部材を浸すことができる化粧製品の最大質量で割った比率であると理解される。100%の充填度は、フェルトを化粧製品に少なくとも5分間浸すことによって得られる。100%未満の充填度は、アプリケータ部材を100%まで充填し、次いで、所望の充填度が得られるまでアプリケータ部材の面のすべてに吸収性のある織物を当てることにより余分の化粧製品を取り除くことによって得られる。
【００６０】
アプリケータ部材が完全に化粧製品で浸されているわけではなく、むしろ上記のような充填度を有するとき、処理される毛髪を通過するごとに送出される化粧製品の量はあまり変化しないことを示すことがわかった。この送出される液体の量は特に、30または40%〜100%まで変動するアプリケータ部材の充填の範囲で送出される化粧製品の量の平均値と比較して、少なくともある一定の充填度に限り、いくらかの一貫性を有する、特に変動が30%未満である場合がある。送出される化粧製品の量の一貫性によって、使用者の毛髪のすべてにより定まった化粧品結果を得ることができる。当然、送出される化粧製品の量が不変であることは、化粧製品の塗布の状態、特に通過の速度および塗布の力が、毛髪処理デバイスの使用期間全体にわたって実質的に一定に保たれることを意味する。1.8〜2m/sのアプリケータ速度、および2.5〜3.5Nの塗布の力が好ましい。
【００６１】
「初期量」は、本明細書では、処理される毛髪を最初に通過する前にアプリケータ部材に存在する化粧製品の量であると理解される。
【００６２】
「アプリケータ部材の充填度」は、本明細書では、アプリケータ部材に事実上存在する化粧製品の質量と、アプリケータ部材を満たすことができる化粧製品の最大質量との比であると理解される。この充填度は、1.01325 105Paの大気圧および22℃の温度で測定される。
【００６３】
アプリケータ部材の充填度は、好ましくは制限値を超え、特に40%を超える、好ましくは50%を超える、さらに好ましくは60%を超える。
【００６４】
図4〜図6は、アプリケータ部材の異なるサンプルによって各通過で送出された化粧製品の量を、これらのアプリケータ部材の各々の充填パーセンテージに応じて示す。塗布の力および速度は、テスト全体を通して一定に保たれ、アプリケータ部材は、15s間に長さ27cm、幅10.5cmの房の上を進められ、房の方向に3Nの力がアプリケータ部材にかけられる。
【００６５】
これらの3つの図では、使用された化粧製品は同じである。それは以下の表に示す成分から得られる組成物である。
【００６６】
【表１】
2020501708.tif 000003
【００６７】
これらの異なる図では、以下のサンプルがテストされた。
【００６８】
【表２】
2020501708.tif 000004
【００６９】
すべての場合において、アプリケータ部材は、8mm×20mm×90mmの寸法をもつ直方体の形態である。
【００７０】
サンプルE7は、リザーバの機能を有する、0.15g/cm3の密度の平行六面体部分と、その1つの面が化粧製品を塗布するために毛髪と接触しているように意図された、0.25g/cm3の密度の平行六面体部分とを備える。リザーバ部分の体積は、塗布部分の体積の2倍である。
【００７１】
図4〜図6では、充填範囲0〜90%における、特に範囲40〜80%におけるより水平な曲線によって、送出される化粧製品の量が比較的一定であることが表されている。
【００７２】
図7〜図13の表は、図4〜図6の曲線を引くために使用された数値を示す。これらの表では、サンプルの各テストに対して、パーセントで表される比率ηもまた計算され、上記比率は、行われた各通過に対して、測定された、当該の通過中に送出された化粧製品の値と、テストの異なる通過にわたって送出された化粧製品の平均値との差の絶対値として定義され、この差がこの平均値で除算される。
【００７３】
この比率は、アプリケータ部材が化粧製品の90%未満で浸されているとき、送出される製品の量の変動は、アプリケータ部材が90%を超えて浸されているときよりも少ないことを示す。たとえば、図7の表では、99.9%の充填では比率ηは70%であり、テストされた範囲の残りのすべてでは、特に90%未満の充填では、比率ηは60%未満である。
【００７４】
さらには、図7のこの表は、40%〜80%というアプリケータ部材の充填の好ましい範囲では、比率ηが30%未満であることを示す。言い換えれば、この範囲では、アプリケータ部材の通過ごとに送出される製品の量は、テスト中に通過ごとに送出された化粧製品の平均値と比較して30%を超えて変動しない。そのような変動は、化粧製品での毛髪処理の均質性を保証することを可能にし、房のすべてが、40%〜80%、さらに良くは40%〜70%の充填範囲で処理され、ほぼ同じ量の化粧製品を受け取る。
【００７５】
図8の、サンプルE2のテストに関係する表は、サンプルE1での結果と同様の結果を示す。化粧製品の量は、97.3%の充填では非常に高く、220%を超えるという比率ηの値に対応するが、この比率は、15%〜90%の充填範囲では85%未満である。さらには、40%〜80%の充填では、比率ηは50%未満であり、この比率は、60%〜80%の範囲ではさらに20%未満である。
【００７６】
サンプルE3のテストに関係する、図9の表もまた、アプリケータ部材が化粧製品で完全に浸されているか、それとも90%以下で浸されているかに応じて、送出される化粧製品の量の非常に大きい変動が発生することを示す。この表はまた、比率ηの変動が40%〜80%の範囲、さらに良くは60%〜80%の範囲で最も小さいことを示す。
【００７７】
図10の表は、サンプルE4での実質的に同等の結果を示す。アプリケータ部材が完全に浸されているとき送出される製品の量は、アプリケータ部材が90%以下で浸されているとき、アプリケータ部材の通過ごとに送出される化粧製品の量よりもはるかに大きい。特に、60%〜80%の範囲において、通過ごとに送出される化粧製品の量は、テストの平均値と比較して35%を超えて変動しない。
【００７８】
図11の表もまた、90%以下で浸されたアプリケータ部材が、化粧製品の実質的に一様な量を送出することを可能にすることを示すが、アプリケータ部材が完全に浸されているとき、送出される製品の量ははるかに大きい。ここでは60%〜80%という同じ好ましい範囲を決定することができ、比率ηは依然として46.4%未満である。
【００７９】
図12の表は、サンプルE6が、完全に浸されているとき、非常に大量の化粧製品を送出するが、アプリケータ部材が90%以下で浸されているとき、さらに良くは55%〜80%で浸されているとき、送出される化粧製品の量は、実質的により一様であることを示す。
【００８０】
サンプルE7のテストに関係する図13の表を考察することから同じ結果が現れ、アプリケータ部材によって送出される化粧製品の量の変動は、アプリケータ部材が完全に浸されているときよりも、アプリケータ部材が多くとも90%の化粧製品で浸されているとき、より小さい。
【００８１】
本発明は、説明した例示的な実施形態に限定されず、それらの特徴は、示されていない変形態内で互いに組み合わせられる場合がある。
【００８２】
したがって、本発明は、たとえば、図14に概略的に示す組立式のアセンブリ200に関する。この組立式のアセンブリ200は、毛髪処理デバイス1と、化粧製品レフィル物品202とを含む。この物品は、この場合、特にアプリケータ部材から化粧製品が蒸発しないように閉じられたパッケージ204に、化粧製品レフィル20を含む。変形態では、パッケージ204は、複数の化粧製品レフィル20を含む場合がある。この場合、レフィルがパッケージから取り出されるとき、他の化粧製品レフィルが乾燥しないように、パッケージは再び閉じることができることが好ましい。変形態では、この場合、各個々のレフィルは、複数のレフィルに共通のパッケージの内部の個々のパッケージに保存される。
【符号の説明】
【００８３】
1  毛髪処理デバイス
2  ハンドピース
3  あご
4  あご
5  上側アーム
6  下側アーム
8  関節
10  ハーフハンドル
11  ハーフハンドル
15  加熱要素
16  加熱要素
18  線
20  レフィル
21  圧迫要素
23  本体
26、26a、26b、26c、26d、26e  アプリケータ部材
30  空洞
31  開口部
34  壁
36  壁
37  底部
50a、50b  縦リブ
52  点
54  毛髪
56a、56b  ベベル
58  丸い端部
60  表面、中央部分
62  反対側の表面
200  組立式のアセンブリ
202  化粧製品レフィル物品
204  パッケージ
【図１】
2020501708.tif 000005
【図２】
2020501708.tif 000006
【図３】
2020501708.tif 000007
【図４】
2020501708.tif 000008
【図５】
2020501708.tif 000009
【図６】
2020501708.tif 000010
【図７】
2020501708.tif 000011
【図８】
2020501708.tif 000012
【図９】
2020501708.tif 000013
【図１０】
2020501708.tif 000014
【図１１】
2020501708.tif 000015
【図１２】
2020501708.tif 000016
【図１３】
2020501708.tif 000017
【図１４】
2020501708.tif 000018
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
アプリケータ部材(26、26a〜26e)を備える、毛髪処理デバイス(1)用の化粧製品レフィル(20)であって、前記アプリケータ部材が、液体化粧製品で浸され、前記アプリケータ部材に存在する化粧製品の初期量が、90%以下の前記アプリケータ部材の充填度に対応する、化粧製品レフィル。
【請求項２】
前記アプリケータ部材(26、26a〜26e)の前記充填度が、80%以下である、請求項1に記載の化粧製品レフィル。
【請求項３】
前記アプリケータ部材(26、26a〜26e)が全体的に多孔質である、請求項1または2に記載の化粧製品レフィル。
【請求項４】
前記アプリケータ部材(26、26a〜26e)がフェルトで作られる、請求項1から3のいずれか一項に記載の化粧製品レフィル。
【請求項５】
前記フェルトの繊維がすべて実質的に同じ方向に向けられ、前記フェルトを形成するように成形される、請求項4に記載の化粧製品レフィル。
【請求項６】
前記アプリケータ部材(26、26a〜26e)の密度が、0.08g/cm3を超える、および/または0.350g/cm3未満である、請求項1から5のいずれか一項に記載の化粧製品レフィル。
【請求項７】
前記化粧製品の粘度が、4センチポアズを超える、および/または500センチポアズ未満である、請求項1から6のいずれか一項に記載の化粧製品レフィル。
【請求項８】
前記アプリケータ部材(26、26a〜26e)が、40%以上の充填度を有する、請求項1から7のいずれか一項に記載の化粧製品レフィル。
【請求項９】
前記アプリケータ部材(26、26a〜26e)が、矩形または十字形の断面をもち、処理される前記毛髪と接触しているように意図された、平らな、尖った、もしくは丸い端部を有し、および/または1つもしくは2つのベベル(56a、56b)を有する、細長い形状をしている、請求項1から8のいずれか一項に記載の化粧製品レフィル。
【請求項１０】
前記アプリケータ部材(26、26a〜26e)が、少なくとも部分的に、ポリエチレン、ポリプロピレン、またはポリエチレンとポリプロピレンの混合物から作られる、請求項1から9のいずれか一項に記載の化粧製品レフィル。
【請求項１１】
前記液体化粧製品が、水性組成物である、請求項1から10のいずれか一項に記載の化粧製品レフィル。
【請求項１２】
前記液体化粧製品の粘度が、4センチポアズを超える、および/または500センチポアズ未満である、請求項11に記載の化粧製品レフィル。
【請求項１３】
前記アプリケータ部材が、0.11g/cm3を超える、および/または0.25g/cm3未満の密度を有する、請求項11または12に記載の化粧製品レフィル。
【請求項１４】
前記液体化粧製品が、無水組成物である、請求項1から10のいずれか一項に記載の化粧製品レフィル。
【請求項１５】
前記液体化粧製品の粘度が、100センチポアズを超える、および/または600センチポアズ未満である、請求項14に記載の化粧製品レフィル。
【請求項１６】
前記アプリケータ部材が、0.11g/cm3を超える、および/または0.25g/cm3未満の密度を有する、請求項14または15に記載の化粧製品レフィル。
【請求項１７】
2つの対向する壁(34、36)および底部(37)によって少なくとも部分的に形成され、開口(31)によって外に向かって開いた空洞を画定する本体(23)を備え、前記アプリケータ部材(26、26a〜26e)が前記空洞に部分的に収容され、前記開口(31)を通って前記空洞の外に部分的に延びる、請求項1から16のいずれか一項に記載の化粧製品レフィル。
【請求項１８】
閉じられたパッケージ(204)と、前記パッケージ(204)に含まれている、請求項1から17のいずれか一項に記載の少なくとも1つの化粧製品レフィル(20)とを含む、化粧製品レフィル物品(202)。
【請求項１９】
毛髪処理デバイス(1)であって、
-  少なくとも1つのアーム(5、6)と、
-  前記アームに取り付けられた、請求項1から17のいずれか一項に記載の化粧製品レフィル(20)と
を備える、毛髪処理デバイス。
【請求項２０】
少なくとも1つの加熱要素を備える、請求項19に記載のデバイス。
【請求項２１】
請求項19または20に記載のデバイスを使用して、毛髪の房に化粧製品を塗布するステップを含む、毛髪を処理するための方法。
【国際調査報告】
2020501708.tif 000019
2020501708.tif 000020